(57)【要約】【課題】  前後のキャスター装置の車輪の間隔を変更できる伸縮門扉の提供。【解決手段】  門扉本体１と、キャスター装置２ａ，２ｂとを備え、門扉本体１は、前後の桟３，４を有する複数の格子枠５をリンク６により結合して左右方向に伸縮自在にしたものであり、キャスター装置２ａ，２ｂは、門扉本体の格子枠の前桟３に固定したものと後桟４に固定したものとがあり、その少なくとも一方が、桟に固定したベース部７ｂと、ベース部に対して前後方向の位置を調整自在に固定したキャスター保持具８を有している。【選択図】      図１
2005163496.tif 000002
【特許請求の範囲】
【請求項１】
門扉本体と、キャスター装置とを備え、門扉本体は、前後の桟を有する複数の格子枠をリンクにより結合して左右方向に伸縮自在にしたものであり、キャスター装置は、門扉本体の格子枠の前桟に固定したものと後桟に固定したものとがあり、その少なくとも一方が、桟に固定したベース部と、ベース部に前後方向の位置を調整自在に固定したキャスター保持部とを有していることを特徴とする伸縮門扉。
【請求項２】
門扉本体と、キャスター装置とを備え、門扉本体は、前後の桟を有する複数の格子枠をリンクにより結合して左右方向に伸縮自在にしたものであり、キャスター装置は、桟に固定したベース部に前後方向の位置を調整不能に設けたキャスター保持部を有するものと、桟に固定したベース部に前後方向の位置を調整自在に固定したキャスター保持部を有するものとがあり、両キャスター装置のベース部は桟に対する固定部を略同一形状にしてあり、門扉本体の前後の竪桟は固定部の加工を略同一にしてあることを特徴とする伸縮門扉。
【請求項３】
門扉本体と、キャスター装置とを備え、門扉本体は、リンクにより結合して左右方向に伸縮自在にしたものであり、キャスター装置は、門扉本体に固定するベース部と、ベース部の前側に設けた前側キャスター保持部と、ベース部の後側に設けた後側キャスター保持部とを有するものであり、前側キャスター保持部及び後側キャスター保持部の少なくとも何れか一方は、他方に対する前後方向の位置を調整自在にベース部に固定してあることを特徴とする伸縮門扉。
【発明の詳細な説明】
【技術分野】
【０００１】
本発明は、地面に設置したレールを走行するキャスター装置を備える伸縮門扉に関する。
【背景技術】
【０００２】
従来、レールを走行する伸縮門扉のキャスター装置は、特許文献１に示されているように、門扉本体を構成する前桟と後桟の下部に台座を設け、台座間に一本の車軸を支持し、車軸の両端部に車輪を枢着した構成となっており、前後の車輪及びレールの間隔は門扉本体の前後方向寸法に応じて決まってくるので、その寸法は門扉本体の種類によってまちまちであった。そのため、古くなった伸縮門扉を新しいものに交換しようとすれば、新しいものの車輪の間隔は異なっている場合が多く、レールを新たに設置しなおさなければならず、元のレールをそのまま利用しようとすれば、新しい伸縮門扉の選択の幅が大きく狭められる。
【特許文献１】実開平５−３８２９５号公報
【発明の開示】
【発明が解決しようとする課題】
【０００３】
本発明は以上に述べた実情に鑑み、前後のキャスター装置の車輪の間隔を変更できる伸縮門扉の提供を目的とする。
【課題を解決するための手段】
【０００４】
上記の課題を達成するために、請求項１記載の発明による伸縮門扉は、門扉本体と、キャスター装置とを備え、門扉本体は、前後の桟を有する複数の格子枠をリンクにより結合して左右方向に伸縮自在にしたものであり、キャスター装置は、門扉本体の格子枠の前桟に固定したものと後桟に固定したものとがあり、その少なくとも一方が、桟に固定したベース部と、ベース部に前後方向の位置を調整自在に固定したキャスター保持部とを有していることを特徴とする。
【０００５】
請求項２記載の発明による伸縮門扉は、門扉本体と、キャスター装置とを備え、門扉本体は、前後の桟を有する複数の格子枠をリンクにより結合して左右方向に伸縮自在にしたものであり、キャスター装置は、桟に固定したベース部に前後方向の位置を調整不能に設けたキャスター保持部を有するものと、桟に固定したベース部に前後方向の位置を調整自在に固定したキャスター保持部を有するものとがあり、両キャスター装置のベース部は桟に対する固定部を略同一形状にしてあり、門扉本体の前後の竪桟は固定部の加工を略同一にしてあることを特徴とする。
【０００６】
請求項３記載の発明による伸縮門扉は、門扉本体と、キャスター装置とを備え、門扉本体は、リンクにより結合して左右方向に伸縮自在にしたものであり、キャスター装置は、門扉本体に固定するベース部と、ベース部の前側に設けた前側キャスター保持部と、ベース部の後側に設けた後側キャスター保持部とを有するものであり、前側キャスター保持部及び後側キャスター保持部の少なくとも何れか一方は、他方に対する前後方向の位置を調整自在にベース部に固定してあることを特徴とする。
【発明の効果】
【０００７】
請求項１記載の発明による伸縮門扉は、前後のキャスター装置のうちの少なくとも一方が、桟に固定したベース部と、ベース部に対して前後方向の位置を調整自在に固定したキャスター保持部とを有しているので、キャスター保持部の前後方向の位置を調整することで、前後のキャスター装置の車輪の間隔を簡単に変更できる。これにより、伸縮門扉を新しいものに取り替える場合に、既存のレールをそのまま利用でき、取替え工事を簡易に行える。
【０００８】
請求項２記載の発明による伸縮門扉は、車輪の位置を前後方向に移動できるキャスター装置と移動しないキャスター装置とを、桟に特別な加工を行ったり特別な部品を用いたりすることなく同じように取り付けができ、また両キャスター装置を前桟と後桟のどちらにでも取り付けできる。
【０００９】
請求項３記載の発明による伸縮門扉によっても、キャスター装置の車輪間隔を簡単に変更できる。
【発明を実施するための最良の形態】
【００１０】
以下、本発明の実施の形態を図面に基づいて説明する。門扉本体１は、図４と図５に示すように、前後の桟３，４を有する複数の格子枠５を、枠の内側でパンタグラフ状のリンク６で結合し、左右方向に伸縮自在に構成してある。戸尻側の格子枠５は、ヒンジ１１で一方の支柱１２に連結してあり、戸先側の格子枠５には取っ手１４と、他方の支柱１３への掛け止め具（図示省略）を設けてある。真ん中の格子枠５と戸先側の格子枠５には、前桟３と後桟４にキャスター装置２ａ，２ｂをそれぞれ設けてあり、地面には各キャスター装置の車輪１５を案内する二本のレール１６が平行に設置してある。
【００１１】
前桟３に設けたキャスター装置２ａは、図１に示すように、前桟３にボルト１７で固定したベース部７ａにキャスター保持部９を一体に設けてあり、キャスター保持部９にキャスター部１０ａを固定して設けてある。キャスター部１０ａの車軸１８ａは、後側のキャスター装置２ｂのベース部７ｂを後桟４に固定するためのボルトを兼用しており、当該車軸１８ａは前桟３と後桟４に設けた貫通孔を貫通し、且つキャスター保持部９の軸受け部１９に挿通保持され、軸端がキャスター保持部９の前面に固定して設けた支持具２０にナット２１で固定してある。キャスター部１０ａの車輪１５は、支持具２０の内側で車軸１８ａに回転自在に枢支され、軸止め輪等により軸方向に移動しないように保持してある。
【００１２】
後桟４に設けたキャスター装置２ｂは、図１〜図３に示すように、後桟４にベース部７ｂを取り付け、ベース部７ｂに対して前後方向の位置を調整自在にキャスター保持部８を固定した構成となっている。ベース部７ｂとキャスター保持部８は、それぞれステンレス板からなる略箱形の板金物で構成してあり、ベース部７ｂの手前側の下部にキャスター保持部８を挿入するための切り欠き部２２を設けてあり、ベース部７ｂ内にキャスター保持部８を前後方向にスライド自在に嵌合し、お互いの側壁２３，２４と底壁２５，２６の３箇所をビス２７，２８で固定してある。キャスター保持部８には車軸１８ｂを突出して設けてあり、車軸１８ｂに車輪１５を枢支して、前側のキャスター装置２ａと同じようにキャスター部１０ｂを構成してある。ベース部７ｂの側壁２３には固定用のビス２７の挿通孔２９が前後方向に長孔状に形成され、キャスター保持部８の底壁２６には固定用のビス２８の挿通孔３０が前後方向の長孔状に形成されているので、図３（ａ）（ｂ）に示すように、キャスター保持部８の位置を前後方向に移動させ、長孔の範囲内の任意の位置で固定することができ、これにより、レール１６の間隔に１００ミリ程度の大小があっても、それに合わせて前後のキャスター装置２ａ，２ｂの車輪１５の間隔を調整できる。調整は、片方のキャスター装置２ｂのみで行うので、両方で調整する場合に比べて短時間で正確に行える。
【００１３】
前後のキャスター装置２ａ，２ｂのベース部７ａ，７ｂは、桟３，４に対する固定部３１が同一に形成され、桟に対するベース部の固定部の加工も前桟３と後桟４とで同一となっているので、前後のキャスター装置２ａ，２ｂを、図１とは前後逆にして取り付けることもできるし、前後のキャスター装置２ａ，２ｂの何れかのみを、前桟３と後桟４の両方に取り付けることもできる。前桟３と後桟４は、格子枠内周側がアルミ部材によって形成され、外周側に樹脂製のカバーを取り付けたものとなっており、両キャスター装置２ａ，２ｂのベース部７ａ，７ｂはアルミ部材の下端部に取り付けてあって、桟への固定部３１はカバーに隠れている。
【００１４】
図６は、キャスター装置の別の実施形態を示している。このキャスター装置２ｃは、門扉本体１の格子枠５の下部に、前後の桟３，４に跨る一体的なベース部３５を取付けてあり、ベース部３５は前側に前側キャスター保持部３２を設けてあり、その後側に後側キャスター保持部３３を取り付けるための取付板３４を有している。後側キャスター保持部３３はベース部３５と別体で形成され、上面をベース部３５に当接して前記取付板３４にボルト３６で固定されている。前側キャスター保持部３２と後側キャスター保持部３３には、既に説明したのと同じように前後のキャスター部１０ａ，１０ｂを設けてある。ボルト３６の挿通孔３７は前後方向の長孔に形成してあるので、後側キャスター保持部３３は前側キャスター保持部３２に対して前後方向の位置を調整自在であり、それに伴って前後のキャスター部１０ａ，１０ｂの車輪１５の間隔を簡単に調整できる。ベース部３５は、格子枠５に前後逆にして取り付けることもできる。
【００１５】
本発明の伸縮門扉は、以上に述べた実施形態に限定されない。ベース部及びキャスター保持部の形状や材質等は自由に設計することができ、一方のキャスター保持部をベース部に対して前後方向に移動可能、且つ移動させた位置で固定できるようにしてあればよい。ベース部の桟への固定部は、桟への固定用のボルト等の挿通孔が、取付状態における同一高さ位置に設けてあればよい。
【図面の簡単な説明】
【００１６】
【図１】本発明に係る伸縮門扉の要部断面図である。
【図２】後側のキャスター装置を、ベース部とキャスター保持部とに分離して示す図である。
【図３（ａ）（ｂ）】後側のキャスター装置の正面図であって、（ａ）図はレールの間隔が最小のときの状態、（ｂ）図はレールの間隔が最大のときの状態を示している。
【図４】伸縮門扉の正面図である。
【図５】門扉本体の側面図である。
【図６】キャスター装置の別の実施形態を示す門扉本体の側面図である。
【符号の説明】
【００１７】
１  門扉本体
２ａ，２ｂ，２ｃ  キャスター装置
３  前桟
４  後桟
５  格子枠
６  リンク
７ａ，７ｂ，３５  ベース部
８，９，３２，３３  キャスター保持部
【図１】
2005163496.tif 000003
【図２】
2005163496.tif 000004
【図３（ａ）（ｂ）】
2005163496.tif 000005
【図４】
2005163496.tif 000006
【図５】
2005163496.tif 000007
【図６】
2005163496.tif 000008